(57)【要約】【課題】ゴミ箱の正当な利用者の利便性を損なうことなく、不法なゴミの投入を効果的に抑止することができる、ゴミ投入規制装置およびこの装置を備えたゴミ箱を提供する。【解決手段】投棄対象のゴミ２０に対応して設定されたバーコード２２を読取り可能なバーコードリーダー２４と、バーコードリーダー２４によるバーコード２２の読取り結果に基づいてゴミ箱１２への投入が容認される条件を満たすバーコードと該条件を満たさないバーコードとを識別する識別部２７と、識別部２７が該条件を満たさないバーコード２２を識別したときには、投棄対象のゴミ２０をゴミ箱１２に投入することを規制するための出力を得る投入規制部２８と、を備える。【選択図】図１
0003179018.tif 000002
【実用新案登録請求の範囲】
【請求項１】
投棄対象のゴミに対応して設定されたバーコードを読取り可能なバーコードリーダーと、
前記バーコードリーダーによるバーコードの読取り結果に基づいてゴミ箱への投入が容認される条件を満たすバーコードと前記条件を満たさないバーコードとを識別する識別部と、
前記識別部が前記条件を満たさないバーコードを識別したときには、投棄対象のゴミを前記ゴミ箱に投入することを規制するための出力を得る投入規制部と、
を備えたことを特徴とするゴミ投入規制装置。
【請求項２】
投棄対象のゴミの種別を示すゴミ識別コードをゴミ本体もしくはゴミを収容する収容体から光学的に読み取って、前記ゴミ識別コードを出力するバーコードリーダーと、
前記バーコードリーダーが出力した識別コードが、ゴミ箱へ投入されるゴミの種別に該当するかどうかを識別する識別部と、
ゴミ箱のゴミ投入口周辺に固定された投入規制部とを備え、
前記識別部が、投入されるゴミの種別に該当しないという識別信号を出力したときには、前記投入規制部は、前記ゴミが前記ゴミ投入口に投入されることを阻止するための規制動作を実行することを特徴とするゴミ投入規制装置。
【請求項３】
請求項２に記載のゴミ投入規制装置において、前記識別部が、投入されるゴミの種別に該当するという識別信号を出力したときには、前記投入規制部は、前記ゴミが前記ゴミ投入口に投入されることを容認するための容認動作を実行することを特徴とするゴミ投入規制装置。
【請求項４】
請求項２または３に記載のゴミ投入規制装置において、前記投入規制部は、前記規制動作として、発音回路による警告音の発生動作を行うように構成されていることを特徴とするゴミ投入規制装置。
【請求項５】
請求項２または３に記載のゴミ投入規制装置において、前記投入規制部は、前記規制動作として、合成音声を発する発声回路による警告メッセージの発声動作を行うように構成されていることを特徴とするゴミ投入規制装置。
【請求項６】
請求項２または３に記載のゴミ投入規制装置において、前記投入規制部は、前記規制動作として、表示器を駆動する表示器駆動回路による警告の表示動作を行うように構成されていることを特徴とするゴミ投入規制装置。
【請求項７】
請求項２または３に記載のゴミ投入規制装置において、前記投入規制部は、前記規制動作として、告知灯を駆動する告知灯駆動回路による警告の発光動作を行うように構成されていることを特徴とするゴミ投入規制装置。
【請求項８】
請求項２ないし７のいずれか一項に記載のゴミ投入規制装置において、前記投入規制部は、前記規制動作として、前記ゴミ投入口を開閉する蓋のロック機構を駆動するロック機構駆動部により前記蓋を閉止位置にロックする動作を行うように構成されていることを特徴とするゴミ投入規制装置。
【請求項９】
請求項２ないし７のいずれか一項に記載のゴミ投入規制装置において、前記投入規制部は、前記規制動作として、前記ゴミ投入口でゴミの投入を阻止する投入阻止ロッドのロック機構を駆動するロック機構駆動部により前記投入阻止ロッドを投入阻止位置にロックする動作を行うように構成されていることを特徴とするゴミ投入規制装置。
【請求項１０】
請求項３に記載のゴミ投入規制装置において、前記投入規制部は、前記容認動作として、合成音声を発する発声回路による、ゴミ投入容認メッセージの発声動作を行うように構成されていることを特徴とするゴミ投入規制装置。
【請求項１１】
請求項３または１０の何れか一項に記載のゴミ投入規制装置において、前記投入規制部は、前記容認動作として、表示器駆動回路による、投入容認の表示動作を行うように構成されていることを特徴とするゴミ投入規制装置。
【請求項１２】
請求項３、１０、および、１１の何れか一項に記載のゴミ投入規制装置において、前記投入規制部は、前記容認動作として、告知灯を駆動する告知灯駆動回路による、投入容認の発光動作を行うように構成されていることを特徴とするゴミ投入規制装置。
【請求項１３】
請求項３、１０、１１、および、１２の何れか一項に記載のゴミ投入規制装置において、前記投入規制部は、前記容認動作として、前記ゴミ投入口を開閉する蓋のロック機構を駆動するロック機構駆動部により前記蓋のロックを解除する動作を行うように構成されていることを特徴とするゴミ投入規制装置。
【請求項１４】
請求項３、１０、１１、および、１２の何れか一項に記載のゴミ投入規制装置において、前記投入規制部は、前記容認動作として、前記ゴミ投入口でゴミの投入を阻止する投入阻止ロッドのロック機構を駆動するロック機構駆動部により、前記投入阻止ロッドのロックを解除する動作を行うように構成されていることを特徴とするゴミ投入規制装置。
【請求項１５】
請求項８、９、１３、および１４の何れか一項に記載のゴミ投入規制装置において、前記ロック機構駆動部は、ソレノイドプランジャーにより作動するように構成されていることを特徴とするゴミ投入規制装置。
【請求項１６】
請求項１３に記載のゴミ投入規制装置において、前記ロック機構は、梃子の原理によるストッパーアームを有し、このストッパーアームの、支点が前記ゴミ箱内面の前記ゴミ投入口に臨む位置に設けた支持板により支持されたピンに設定され、力点が前記ソレノイドプランジャーのプランジャーとの接続点に設定され、作用点が前記蓋の縁に臨む内面部との接触点に設定され、力点に作用する力が増力されて作用点に作用するように構成されていることを特徴とするゴミ投入規制装置。
【請求項１７】
請求項１３に記載のゴミ投入規制装置において、前記ロック機構は、ロックピンを有し、このロックピンが、前記ゴミ箱内面の前記ゴミ投入口に臨む部位に取付けられた係止板に設けられた第１の係止穴と前記蓋内面部の縁に臨む部位に取付けられた係止板に設けられた第２の係止穴とを貫通するロック位置と、前記第２の係止穴から退避したロック解除位置との間を移動可能であり、該移動は前記ソレノイドプランジャーのプランジャーの変位に連動するように構成されていることを特徴とするゴミ投入規制装置。
【請求項１８】
請求項１ないし１７のいずれか一項に記載のゴミ投入規制装置において、前記バーコードリーダー、前記識別部、および、前記投入規制部は、商用交流電源から所定の直流電力を得るコンバーターの出力で作動するように構成されていることを特徴とするゴミ投入規制装置。
【請求項１９】
請求項１ないし１７のいずれか一項に記載のゴミ投入規制装置において、前記バーコードリーダー、前記識別部、および、前記投入規制部の少なくともいずれかは、乾電池の出力で作動するように構成されていることを特徴とするゴミ投入規制装置。
【請求項２０】
請求項１ないし１７のいずれか一項に記載のゴミ投入規制装置において、前記バーコードリーダー、前記識別部、および、前記投入規制部の少なくともいずれかは、二次電池の出力で作動するように構成されていることを特徴とするゴミ投入規制装置。
【請求項２１】
請求項２０に記載のゴミ投入規制装置において、前記２次電池は、太陽電池の出力で充電されるように構成されていることを特徴とするゴミ投入規制装置。
【請求項２２】
請求項１ないし２１のいずれか一項に記載のゴミ投入規制装置を備えたゴミ箱。
【請求項２３】
請求項２２に記載のゴミ箱において、前記ゴミ投入口よりも前方に張出した張出し部を有するルーフパネルを備え、前記張出し部の下面に、前記ゴミ投入規制装置のバーコードリーダーが取付けられていることを特徴とするゴミ箱。
【請求項２４】
請求項２３に記載のゴミ箱において、前記ルーフパネルは、ゴミ箱本体の上面板とは別体のパネルとしてゴミ箱上部に取付けられていることを特徴とするゴミ箱。
【考案の詳細な説明】
【技術分野】
【０００１】
本考案は、コンビニエンスストアやスーパーマーケット、あるいは、サービスエリアやパーキングエリア等に設置されたゴミ箱に、家庭ゴミその他管理責任が無く投入が適切でないゴミが不法に投入されることを抑止するゴミ投入規制装置およびこの装置を備えたゴミ箱に関する。
【背景技術】
【０００２】
居住地区内のゴミ集積場所に地区外者が不法にゴミを投棄するのを防止するための技術が提案されている。一つの提案では、ゴミの全体を囲う囲い体に出入り扉を設け、この扉の施錠を、正当な投棄者の識別カードから読取った情報に基づいて解除するという構成をとっている（特許文献１参照）。
また、ゴミ収容コンテナのゴミ投入口を、コインの挿入により開くようにして、利用の時間等に拘束されずに、有償でゴミの投入を容認する技術も提案されている（例えば、特許文献２参照）。
さらに、ゴミ投入口に設けた回転式開閉蓋に投入制限機構を設けるという提案もある。この提案では、蓋を開ける回転操作に伴って、投入制限部材が、投入口に張り出して、ゴミの直接の投入を妨げ、かつ、投入可能なゴミの大きさを制限するようにしている（特許文献３参照）。
【先行技術文献】
【特許文献】
【０００３】
【特許文献１】特開平１１−２２２３０１号公報
【特許文献２】特開２００５−３２４９６１号公報
【特許文献３】特開２０１２−９６９２４号公報
【考案の概要】
【考案が解決しようとする課題】
【０００４】
従来の技術には、次のような解決すべき課題があった。
上記特許文献１および特許文献２に開示の技術では、不法なゴミの投棄を抑止するために、正当な利用者は、識別カードやコインの挿入といった操作手順を踏んで、ゴミの投入が可能となる。ゴミの投棄に際しこのような操作手順が必須であるため、発給や受給の手続が面倒な識別カードを予め用意したり、所要の種別のコインを準備しておくこと等が必要となる。これでは正当な利用者にとっても煩わしい。
上記特許文献３に開示の技術では、不正者を識別することなく、一度に投入可能なゴミの大きさを制限するにすぎない。これでは、不法なゴミの投棄を抑止すことは困難である。
本考案は以上の点に着目してなされたもので、ゴミ箱の正当な利用者の利便性を損なうことなく、不法なゴミの投入を効果的に抑止することができる、ゴミ投入規制装置およびこの装置を備えたゴミ箱を提供することを目的とする。
【課題を解決するための手段】
【０００５】
以下の構成はそれぞれ上記の課題を解決するための手段である。
〈構成１〉
投棄対象のゴミに対応して設定されたバーコードを読取り可能なバーコードリーダーと、前記バーコードリーダーによるバーコードの読取り結果に基づいてゴミ箱への投入が容認される条件を満たすバーコードと前記条件を満たさないバーコードとを識別する識別部と、前記識別部が前記条件を満たさないバーコードを識別したときには、投棄対象のゴミを前記ゴミ箱に投入することを規制するための出力を得る投入規制部と、を備えたことを特徴とするゴミ投入規制装置。
【０００６】
〈構成２〉
投棄対象のゴミの種別を示すゴミ識別コードをゴミ本体もしくはゴミを収容する収容体から光学的に読み取って、前記ゴミ識別コードを出力するバーコードリーダーと、前記バーコードリーダーが出力した識別コードが、ゴミ箱へ投入されるゴミの種別に該当するかどうかを識別する識別部と、ゴミ箱のゴミ投入口周辺に固定された投入規制部とを備え、前記識別部が、投入されるゴミの種別に該当しないという識別信号を出力したときには、前記投入規制部は、前記ゴミが前記ゴミ投入口に投入されることを阻止するための規制動作を実行することを特徴とするゴミ投入規制装置。
【０００７】
〈構成３〉
構成２に記載のゴミ投入規制装置において、前記識別部が、投入されるゴミの種別に該当するという識別信号を出力したときには、前記投入規制部は、前記ゴミが前記ゴミ投入口に投入されることを容認するための容認動作を実行することを特徴とするゴミ投入規制装置。
【０００８】
〈構成４〉
構成２または３に記載のゴミ投入規制装置において、前記投入規制部は、前記規制動作として、発音回路による警告音の発生動作を行うように構成されていることを特徴とするゴミ投入規制装置。
【０００９】
〈構成５〉
構成２または３に記載のゴミ投入規制装置において、前記投入規制部は、前記規制動作として、合成音声を発する発声回路による警告メッセージの発声動作を行うように構成されていることを特徴とするゴミ投入規制装置。
【００１０】
〈構成６〉
構成２または３に記載のゴミ投入規制装置において、前記投入規制部は、前記規制動作として、表示器を駆動する表示器駆動回路による警告の表示動作を行うように構成されていることを特徴とするゴミ投入規制装置。
【００１１】
〈構成７〉
構成２または３に記載のゴミ投入規制装置において、前記投入規制部は、前記規制動作として、告知灯を駆動する告知灯駆動回路による警告の発光動作を行うように構成されていることを特徴とするゴミ投入規制装置。
【００１２】
〈構成８〉
構成２ないし７のいずれかに記載のゴミ投入規制装置において、前記投入規制部は、前記規制動作として、前記ゴミ投入口を開閉する蓋のロック機構を駆動するロック機構駆動部により前記蓋を閉止位置にロックする動作を行うように構成されていることを特徴とするゴミ投入規制装置。
【００１３】
〈構成９〉
構成２ないし７のいずれかに記載のゴミ投入規制装置において、前記投入規制部は、前記規制動作として、前記ゴミ投入口でゴミの投入を阻止する投入阻止ロッドのロック機構を駆動するロック機構駆動部により前記投入阻止ロッドを投入阻止位置にロックする動作を行うように構成されていることを特徴とするゴミ投入規制装置。
【００１４】
〈構成１０〉
構成３に記載のゴミ投入規制装置において、前記投入規制部は、前記容認動作として、合成音声を発する発声回路による、ゴミ投入容認メッセージの発声動作を行うように構成されていることを特徴とするゴミ投入規制装置。
【００１５】
〈構成１１〉
構成３または１０の何れかに記載のゴミ投入規制装置において、前記投入規制部は、前記容認動作として、表示器駆動回路による、投入容認の表示動作を行うように構成されていることを特徴とするゴミ投入規制装置。
【００１６】
〈構成１２〉
構成３、１０、および、１１の何れかに記載のゴミ投入規制装置において、前記投入規制部は、前記容認動作として、告知灯を駆動する告知灯駆動回路による、投入容認の発光動作を行うように構成されていることを特徴とするゴミ投入規制装置。
【００１７】
〈構成１３〉
構成３、１０、１１、および、１２の何れかに記載のゴミ投入規制装置において、前記投入規制部は、前記容認動作として、前記ゴミ投入口を開閉する蓋のロック機構を駆動するロック機構駆動部により前記蓋のロックを解除する動作を行うように構成されていることを特徴とするゴミ投入規制装置。
【００１８】
〈構成１４〉
構成３、１０、１１、および、１２の何れかに記載のゴミ投入規制装置において、前記投入規制部は、前記容認動作として、前記ゴミ投入口でゴミの投入を阻止する投入阻止ロッドのロック機構を駆動するロック機構駆動部により、前記投入阻止ロッドのロックを解除する動作を行うように構成されていることを特徴とするゴミ投入規制装置。
【００１９】
〈構成１５〉
構成８、９、１３、および１４の何れかに記載のゴミ投入規制装置において、前記ロック機構駆動部は、ソレノイドプランジャーにより作動するように構成されていることを特徴とするゴミ投入規制装置。
【００２０】
〈構成１６〉
構成１３に記載のゴミ投入規制装置において、前記ロック機構は、梃子の原理によるストッパーアームを有し、このストッパーアームの、支点が前記ゴミ箱内面の前記ゴミ投入口に臨む位置に設けた支持板により支持されたピンに設定され、力点が前記ソレノイドプランジャーのプランジャーとの接続点に設定され、作用点が前記蓋の縁に臨む内面部との接触点に設定され、力点に作用する力が増力されて作用点に作用するように構成されていることを特徴とするゴミ投入規制装置。
【００２１】
〈構成１７〉
構成１３に記載のゴミ投入規制装置において、前記ロック機構は、ロックピンを有し、このロックピンが、前記ゴミ箱内面の前記ゴミ投入口に臨む部位に取付けられた係止板に設けられた第１の係止穴と前記蓋内面部の縁に臨む部位に取付けられた係止板に設けられた第２の係止穴とを貫通するロック位置と、前記第２の係止穴から退避したロック解除位置との間を移動可能であり、該移動は前記ソレノイドプランジャーのプランジャーの変位に連動するように構成されていることを特徴とするゴミ投入規制装置。
【００２２】
〈構成１８〉
構成１ないし１７のいずれかに記載のゴミ投入規制装置において、前記バーコードリーダー、前記識別部、および、前記投入規制部は、商用交流電源から所定の直流電力を得るコンバーターの出力で作動するように構成されていることを特徴とするゴミ投入規制装置。
【００２３】
〈構成１９〉
構成１ないし１７のいずれかに記載のゴミ投入規制装置において、前記バーコードリーダー、前記識別部、および、前記投入規制部の少なくともいずれかは、乾電池の出力で作動するように構成されていることを特徴とするゴミ投入規制装置。
【００２４】
〈構成２０〉
構成１ないし１７のいずれかに記載のゴミ投入規制装置において、前記バーコードリーダー、前記識別部、および、前記投入規制部の少なくともいずれかは、二次電池の出力で作動するように構成されていることを特徴とするゴミ投入規制装置。
【００２５】
〈構成２１〉
構成２０に記載のゴミ投入規制装置において、前記二次電池は、太陽電池の出力で充電されるように構成されていることを特徴とするゴミ投入規制装置。
【００２６】
〈構成２２〉
構成１ないし２１のいずれかに記載のゴミ投入規制装置を備えたゴミ箱。
【００２７】
〈構成２３〉
構成２２に記載のゴミ箱において、前記ゴミ投入口よりも前方に張出した張出し部を有するルーフパネルを備え、前記張出し部の下面に、前記ゴミ投入規制装置のバーコードリーダーが取付けられていることを特徴とするゴミ箱。
【００２８】
〈構成２４〉
構成２３に記載のゴミ箱において、前記ルーフパネルは、ゴミ箱本体の上面板とは別体のパネルとしてゴミ箱上部に取付けられていることを特徴とするゴミ箱。
【考案の効果】
【００２９】
〈構成１の効果〉
投棄対象のゴミがゴミ箱への投入容認条件を満たしているか否かを、発給や受給の手続が容易で、かつ、離れた位置から精度よく読取り可能なバーコードを利用して簡易かつ適切に識別できる。この識別結果に基づいて、ゴミが不法にゴミ箱に投棄されることを効果的に規制することができる。
〈構成２の効果〉
投棄対象のゴミもしくはポリ袋等のゴミを収容する収容体からバーコードリーダーによりゴミ識別コードを光学的に読み取ることができる。読取ったゴミ識別コードから、そのゴミもしくはゴミの収容体がゴミ箱への投入されることの適否を簡易に識別できる。この識別結果に基づいて、ゴミが不法にゴミ箱に投棄されることを効果的に阻止することができる。
〈構成３の効果〉
識別部によってゴミ箱に投入することが適切であると識別されたゴミについては、徒に投入が規制されることがない。このため、正当な利用者の利便性が損なわれない。
〈構成４の効果〉
ゴミ箱への投入が規制されるべきゴミについては、事前に、警告音が発せられる。このため、そのようなゴミの投入を抑止することができる。
〈構成５の効果〉
ゴミ箱への投入が規制されるべきゴミについては、事前に、警告メッセージが発せられる。このため、そのようなゴミの投入を抑止することができる。
〈構成６の効果〉
ゴミ箱への投入が規制されるべきゴミについては、事前に、警告の表示が行われる。このため、そのようなゴミの投入を抑止することができる。
〈構成７の効果〉
ゴミ箱への投入が規制されるべきゴミについては、事前に、告知灯での警告の発光が行われる。このため、そのようなゴミの投入を抑止することができる。
〈構成８の効果〉
ゴミ箱への投入が規制されるべきゴミについては、ゴミ投入口を開閉する蓋が閉止位置にロックされる。このため、そのようなゴミの投入を抑止することができる。また、蓋によって、タバコの吸殻の投げ捨て等に起因する火災を予防することができる。
〈構成９の効果〉
ゴミ箱への投入が規制されるべきゴミについては、ゴミ投入口でゴミの投入を阻止する投入阻止ロッドが投入阻止位置にロックされる。このため、そのようなゴミの投入を抑止することができる。
〈構成１０の効果〉
ゴミ箱に投入することが適切であると識別されたゴミについては、事前に、発声回路による、ゴミ投入容認メッセージが音声で発せられる。この音声メッセージにより、正当な利用者に、積極的にゴミの受容れを知らせることができる。正当な投入者は、ためらわずに支障なくゴミを投入できる。
〈構成１１の効果〉
ゴミ箱に投入することが適切であると識別されたゴミについては、事前に、表示器駆動回路による、投入容認の表示が行われる。この表示により、正当な利用者に、積極的にゴミの受容れを知らせることができる。正当な利用者は、ためらわずに支障なくゴミを投入できる。
〈構成１２の効果〉
ゴミ箱に投入することが適切であると識別されたゴミについては、事前に、告知灯駆動回路による、投入容認の発光が行われる。この発光により、正当な利用者に、積極的にゴミの受容れを知らせることができる。正当な利用者は、ためらわずに支障なくゴミを投入できる。
〈構成１３の効果〉
ゴミ箱に投入することが適切であると識別されたゴミについては、ゴミ投入口を開閉する蓋のロックが、事前に解除される。このため、正当な利用者は、支障なくゴミを投入できる。
〈構成１４の効果〉
ゴミ箱に投入することが適切であると識別されたゴミについては、ゴミ投入口でゴミの投入を阻止する投入阻止ロッドのロックが、ロック機構駆動部により、事前に解除される。このため、正当な利用者は支障なくゴミを投入できる。
〈構成１５の効果〉
ゴミ箱のゴミ投入口でゴミの投入を阻止する蓋や投入阻止ロッドなどの部材を、ゴミの投入を阻止する位置にロックしたりこのロックを解除したりするための機構がソレノイドプランジャーにより作動する方式であるため、応答性に優れ、かつ、構成が簡素である。
〈構成１６の効果〉
蓋の動きをロックするロック機構に梃子の原理によるストッパーアームが適用され、このストッパーアームを駆動するソレノイドプランジャーの力が増力されて作用点である蓋との接触部に作用する。梃子の倍力作用のため、ストッパーアームの駆動源として小型のソレノイドプランジャーを適用可能であり、小型化と省電力化をはかることができる。
〈構成１７の効果〉
蓋の動きをロックするロック機構にロックピンを適用し、このロックピンがゴミ箱本体側と蓋側とのそれぞれに設けられた係止板の係止穴を貫通することによって蓋がロックされる。ロックピンが蓋側の係止板の係止穴から脱するように後退するとロックが解除される。この構成では、蓋に対する操作力の方向がロックピンの変位方向とは交差する方向になる。このため、蓋が押圧されてロックピンに応力がかかっても、この応力は、ソレノイドプランジャーの作動方向に関する成分が微小なものとなる。蓋への無理な操作に対する耐性の大きい投入規制部を構成することができる。
〈構成１８の効果〉
商用交流電源から電源をとるため、比較的大型で強力なゴミ投入規制装置を実現しやすい。
〈構成１９の効果〉
入手や交換が容易な乾電池を電源とするため、装置の取り扱いが容易である。電池を電源とするため、商用交流電源への接続が不要である。
〈構成２０の効果〉
充電により繰り返し用いることができる二次電池を電源とするため、短期間での消耗品が無いという点で装置の取り扱いが容易である。電池を電源とするため、商用交流電源への接続が不要である。
〈構成２１の効果〉
太陽電池を用いているため、短期間での電池の交換や外部からの充電を要しないという点で装置の取り扱いが容易である。電池を電源とするため、商用交流電源への接続が不要である。
〈構成２２の効果〉
投棄対象のゴミがゴミ箱への投入容認条件を満たしているか否かをバーコードを利用して簡易かつ適切に識別し、この識別結果に基づいて、ゴミが不法にゴミ箱に投棄されることを効果的に規制することが可能なゴミ箱を実現することができる。
〈構成２３の効果〉
ゴミ箱上部のルーフパネルがバーコードリーダーの雨除けや防塵作用を果たすため、バーコードリーダーの経年劣化を低減できる。
〈構成２４の効果〉
既製のゴミ箱に対して、ルーフパネルとゴミ投入規制装置を容易に取付けることができる。
【図面の簡単な説明】
【００３０】
【図１】本考案の実施例１としてのゴミ投入規制装置およびこの装置を備えたゴミ箱を示す図である。
【図２】本考案の実施例２としてのゴミ投入規制装置およびこの装置を備えたゴミ箱を示す図である。
【図３】蓋のロック機構の一つの例を表す要部側面図である。
【図４】蓋のロック機構の他の例を表す図である。
【図５】実施例１のゴミ投入規制装置に適用される回路を例示するブロック図である。
【図６】実施例２のゴミ投入規制装置に適用される回路を例示するブロック図である。
【図７】本考案の実施例３としてのゴミ投入規制装置およびこの装置を備えたゴミ箱を示す図である。
【図８】本考案の実施例４としてのゴミ投入規制装置およびこの装置を備えたゴミ箱を示す図である。
【図９】実施例４のゴミ投入規制装置に適用される回路を例示するブロック図である。
【図１０】本考案の実施例５としてのゴミ投入規制装置およびこの装置を備えたゴミ箱を示す図である。
【図１１】実施例５のゴミ投入規制装置に適用される回路を例示するブロック図である。
【図１２】本考案の実施例６としてのゴミ投入規制装置およびこの装置を備えたゴミ箱を示す図である。
【図１３】実施例６のゴミ投入規制装置に適用される回路を例示するブロック図である。
【図１４】本考案の実施例７としてのゴミ投入規制装置およびこの装置を備えたゴミ箱を示す図である。
【図１５】実施例７のゴミ投入規制装置に適用される回路を例示するブロック図である。
【図１６】本考案のゴミ投入規制装置における上記各実施例に適用可能な電源回路の形態について説明する図である。
【考案を実施するための形態】
【００３１】
以下、本考案の実施の形態を実施例毎に詳細に説明する。
【実施例１】
【００３２】
図１は、本考案の実施例１としてのゴミ投入規制装置およびこの装置を備えたゴミ箱を示す図である。
【００３３】
図１において、ゴミ箱１２には、そのゴミ投入口１４に対応して、その投入口１４を開閉する蓋１６が設けられている。本例の蓋１６は、その上縁中央位置で、ゴミ箱１２内部のゴミ投入口１４に臨む適所に設けられた支持部材（不図示）に、支軸によって回動自在に取付けられている。
【００３４】
蓋１６は、上記支軸の周りに、ゴミ箱１２内部側からゴミ投入口１４に向かう方向の適度な回動力をもって、ゴミ投入口１４を常時閉塞している。この回動力は、ばね等の付勢力を利用した機構や、回動に関連して作用する重力を利用した適宜の機構等によって発生させられる。この蓋１６に関連して、後述するような蓋１６のロック機構が設けられており、平生は、蓋１６のロックが維持され、既定の条件を満たすときのみロックが解除される。
【００３５】
ゴミ箱１２のゴミ投入口１４に臨む位置（本例では、ゴミ投入口１４の上方位置）にゴミ投入規制装置１８が取り付けられている。このゴミ投入規制装置１８は、投棄対象のゴミ本体もしくはゴミを収容する収容体（ゴミを収容したポリ袋など）２０に対応して設定されたバーコード２２を読取り可能なバーコードリーダー２４を有する。図示の例では、バーコード２２は、ゴミの収容体２０としてのポリ袋に貼り付けられたバーコードラベル２６に印刷されている。
【００３６】
ゴミ投入規制装置１８は、さらに、このゴミ箱１２への不法なゴミの投入を規制する投入規制部２８としての、スピーカー３０および告知灯３２を備えている。
【００３７】
ゴミ投入規制装置１８の投入規制部２８は、バーコードリーダー２４によるバーコード２２の読取り結果に基づいてゴミ箱１２への投入が容認される条件を満たすバーコードと該条件を満たさないバーコードとを識別する。そして、該条件を満たさないバーコードを識別したときには、投棄対象のゴミをゴミ箱１２に投入することを規制するための出力を得る。
【００３８】
本例では、不法なゴミの投入を規制するための出力として、スピーカー３０からの発声、告知灯３２からの警告の発光を実行する。告知灯３２による警告では、赤色の発光が発せられる。また、上記の規制のための出力として、既定の条件を満たさないゴミに対しては、蓋１６のロックを維持し、条件を満たすときのみロックを解除する駆動出力を発する。
【００３９】
ゴミ箱は、例えば、コンビニエンスストアや駅の構内、あるいは、集合住宅の共有スペース、公園、その他に設置されるものである。
ゴミ箱がコンビニエンスストアの管理下にある場合には、そのコンビニエンスストアの顧客ないしそのコンビニエンスストアのチェーン店の顧客（以下、顧客等）に限って、ゴミ箱の利用を認めるように、ゴミの投入を規制したいというニーズは非常に高い。
【００４０】
これは、顧客等以外の者によって、家庭ゴミなどが不法にゴミ箱に投入されるといった事態が頻繁に発生しているからである。これら不法に投入されたゴミの処分費用は無視できない金額にのぼり、コンビニエンスストアの経営を圧迫するといった現象も見られる。
【００４１】
一方、顧客等以外の者による不法なゴミ投入を、専任の警備員を当てるなどして厳格に規制しようとすると、店舗の雰囲気を損ね、集客力を減殺してしまうおそれもある。また、顧客等の正当な利用者にとって利便性が損なわれるのみならず、ゴミ箱の管理者にとっても、かえって出費が増加し、煩わしいことになる。
【００４２】
図１に例示のような本考案のゴミ投入規制装置１８およびこの装置を備えたゴミ箱を適用すれば、上述のような煩雑な問題に対して、有力な解決策を見出すことが可能である。
【００４３】
即ち、顧客等のようなゴミ箱の正当な利用者に対して、バーコードを印刷したゴミ袋やバーコードラベルを発給する。この発給は、ＩＣカードや磁気カードの発給に比し、技術や手続が容易である。
【００４４】
正当な利用者は、バーコードを印刷したゴミ袋（収容体）、あるいは、バーコードラベルを貼り付けたゴミまたは収容体を、ゴミ箱の前で、一旦、バーコードリーダー２４でバーコードが読取れる位置にかざす。
【００４５】
バーコードリーダー２４は、この位置で、ゴミまたは収容体から光学的にバーコードを読取る。この読取りの結果出力されるゴミ識別コードに応じて、投棄対象のゴミまたは収容体がゴミ箱への投入容認条件を満たしているか否かが簡易かつ適切に識別される。
【００４６】
上述のような正当な利用者が投入しようとしているゴミについては、バーコードリーダー２４が出力した識別コードに基づいて、そのゴミが、ゴミ箱へ投入することが容認される種別に該当することが識別される。
【００４７】
この識別結果に基づいて、ゴミの投入を容認するための既定の容認動作が実行される。本例のゴミ投入規制装置１８では、スピーカー３０から、例えば「いつもありがとうございます。そのゴミはゴミ箱に投入頂けます。蓋のロックを解除します。」といったような合成音声によるメッセージが発せられる。
【００４８】
このメッセージの発声と共に、告知灯は、緑色ないし青色の発光で点灯、点滅、あるいはまた、これらの色の光ビームの旋回等によって、投入容認を利用者に告知する。
【００４９】
ゴミ箱の正当な利用者には、上述のような音声メッセージや発光による告知によって、ゴミが受容れられることが積極的に知らされる。これにより、正当な投入者は、ためらわずに支障なくゴミを投入でき、ゴミ箱が設置されていることによる利便性が損なわれることがない。
【００５０】
一方、投入されようとしているゴミが、ゴミ箱への投入容認の条件を満たさない場合には、そのゴミの投入が阻止される。即ち、バーコードリーダー２４が出力した識別コードが、そのゴミ箱へ投入することが容認されない種別であることを表している場合には、バーコードリーダー２４が出力した識別コードに基づいて、ゴミの投入を阻止する規制動作が実行される。
【００５１】
本例のゴミ投入規制装置１８では、この規制動作として、スピーカー３０から、例えば「いつもルールを守っていただきありがとうございます。そのゴミの投入はご遠慮ください。蓋はロックされています。」といったような合成音声によるメッセージが発せられる。
【００５２】
このメッセージの発声と共に、告知灯は、赤色ないし黄色の発光で点灯、点滅、あるいはまた、これらの色の光ビームの旋回等によって、投入を容認しないことが該当者に告知される。上述のようなメッセージや光による警告が行われると共に、蓋１６が閉止状態にロックされ、ゴミが不法にゴミ箱に投入されることが効果的に阻止される。上述のように、ゴミ投入の容認や阻止が、発給や受給の手続が容易で、かつ、離れた位置から精度よく読取り可能なバーコードの情報に基づいて行われる。このため、ＩＣカードや磁気カードの情報を利用する場合に比し、ゴミ箱の管理者にとっても、利用者にとっても、利便性が高い。また、蓋によって、タバコの吸殻の投げ捨て等に起因する火災を予防することができる。
【実施例２】
【００５３】
図２は、本考案の実施例２としてのゴミ投入規制装置１８およびこの装置を備えたゴミ箱を示す図である。
【００５４】
図２において、既述の図１との対応部は同一の符号を用いて示し、それら対応部に関する個々の説明は適宜省略する。
図２におけるゴミ箱も、その本体は図１のものと略同様のものであり、図１の例と同様の取付け構造を持つ蓋１６を備えている。この蓋１６についても、ロック機構が設けられており、平生は、蓋１６のロックが維持され、既定の条件を満たすときのみロックが解除される。
この実施例２では、図２に示されたように、ゴミ投入規制装置１８のバーコードリーダー２４は、ゴミ箱のゴミ投入口に臨むこの投入口１４の下方に取付けられている。
【００５５】
ゴミ投入口に臨むこの投入口１４の上方に、ゴミ投入規制装置１８の投入規制部２８としてのブザー３４および表示器３６が配されている。不法なゴミの投入を規制するために、ブザー３４による警報の発報、表示器３６による警告表示を実行する。また、上記の規制のために、既定の条件を満たさないゴミに対しては、蓋１６のロックを維持し、条件を満たすときのみロックを解除する。
【００５６】
バーコードリーダー２４は、対象物が読取り可能領域に入ると、ゴミまたは収容体から光学的にバーコードを読取る。この読取りの結果に応じて、ゴミ箱へのゴミの投入が容認され、あるいは、規制される。
【００５７】
即ち、ゴミが既述のような正当な利用者のものであり受容れ可能な場合には、ブザー３４による警報は発せられず、表示器３６には、例えば「蓋のロックを解除します。」といったような文字列による表示が行われる。この表示は、「いつもありがとうございます。そのゴミはゴミ箱に投入頂けます。蓋のロックを解除します。」といったような文字列がスクロールされるようにしてもよい。これにより、正当な投入者は、ためらわずに支障なくゴミを投入でき、ゴミ箱が設置されていることによる利便性が損なわれることがない。
【００５８】
一方、投入されようとしているゴミが、ゴミ箱への投入容認の条件を満たさない場合には、そのゴミの投入が阻止される。即ち、バーコードリーダー２４が出力した識別コードが、そのゴミ箱へ投入することが容認されないゴミの種別であることを表している場合には、バーコードリーダー２４が出力した識別コードに基づいて、ゴミの投入を阻止する規制動作が実行される。
【００５９】
図２のゴミ投入規制装置１８では、この規制動作として、ブザー３４による警報の発報、表示器３６による警告表示が行なわれる。上述のような警報の発報や警告表示が行われると共に、蓋１６が閉止状態にロックされ、ゴミの投入が効果的に阻止される。また、蓋によって、タバコの吸殻の投げ捨て等に起因する火災を予防することができる。
表示器３６による警告表示としては、例えば「ゴミの投入はご遠慮ください。蓋はロックされています。」といったような文字列による表示である。この表示は、「いつもルールを守っていただきありがとうございます。そのゴミの投入はご遠慮ください。蓋はロックされています。」といったような文字列がスクロールされるようにしてもよい。
【００６０】
（蓋のロック機構の構成…第１の例）
図３は、蓋１６のロック機構の一つの例を表す要部側面図である。図３のロック機構は、図１および図２のゴミ投入規制装置１８に共通に適用可能である。
【００６１】
図３において、ゴミ箱の蓋１６は、ゴミ箱前面板１３上部裏面３８のゴミ投入口に臨む適所に設けられた支持部材４０に、支軸４２によって回動自在に取付けられている。蓋１６には、この支軸４２の周りに設けられたコイルばね４４によって、ゴミ投入口を閉止する方向（図中、破線の矢線ＣＣＷの方向）の回動付勢力が常時作用するように構成されている。
【００６２】
この蓋１６は、その下方縁部がストッパーアーム４６の変位規制部４８に当接してその変位を規制されることによって、ゴミ投入口を閉止した姿勢にロックされる。ストッパーアーム４６は、ゴミ箱前面板１３のゴミ投入口１４下部に臨む裏面の適所に設けられた支持板５０に、ピン５２によって一定範囲の回動が可能なように支持されている。
【００６３】
ストッパーアームは、ピンを支点とする梃子として作用するように成形されている。即ち、ピンを支点とし、変位規制部を作用点とし、図示のようにモーメントアームが相対的に長い位置に力点５４が設定されている。この力点に、ソレノイドプランジャーユニット５６のプランジャー５８によりテンションワイヤー６０を介して図示の矢線Ｆの方向の力が作用し得るように構成されている。
【００６４】
テンションワイヤー６０は、プーリー６２によって、前面板１３に略垂直な方向（矢線Ｆの方向）から平行な方向にＲを描いて曲げられ、前面板１３と平行なプランジャー５８の先端に接続されている。テンションワイヤー６０には、ばね６４が介挿されて、蓋１６が一旦開放された位置から破線図示のＣＣＷ方向に変位して閉止状態に復帰するときの、ストッパーアームの時計方向変位による力を吸収するように構成されている。
【００６５】
ストッパーアームの力点側には、適度な質量の重錘部６６が設けられ、ここに作用する重力によって、外部からの駆動力によらず、ストッパーアーム４６が図２の姿勢を維持する。この姿勢では、ストッパーアーム４６の変位規制部によって、蓋１６を閉止状態にロックできる。
【００６６】
ストッパーアーム４６は、上述のように、ピンを支点とする梃子として作用するように成形されている。蓋１６がゴミ投入口を閉止した状態にあるときには、ストッパーアーム４６の移動規制部が梃子の作用点として機能し、蓋１６に当接して、蓋１６の変位を留めている。ストッパーアーム４６の力点近傍に設けられた重錘部６６に作用する重力が、梃子の原理で倍力される。この倍力された力をもって、ストッパーアーム４６は、平生は蓋１６が開けられないロック状態を維持する。重錘部６６およびソレノイドプランジャーユニット５６は、ロック機構を駆動するロック機構駆動部を構成している。
【００６７】
既述のように、バーコードリーダー２４によるゴミないし収容体に付したバーコードの読取り結果に基づいて、ゴミ箱に投入するゴミの種別に該当することが識別されない限りは、蓋１６はロックされた状態に保たれる。
【００６８】
バーコードの読取り結果に基づいて、ゴミ箱に投入するゴミの種別に該当することが識別されると、ゴミ投入規制装置１８のソレノイドプランジャーユニット５６が駆動される。この駆動により、ストッパーアーム４６の力点にプランジャー５８によって図示の矢線Ｆの方向の力が作用する。ストッパーアーム４６はこの力で、ロック解除方向である反時計方向に回動変位する。この変位により、変位規制部は、蓋１６の変位が可能な位置に退避し、結果的にロックが解除される。この状態では、蓋１６は、外部からの押圧により容易に、図中の矢線ＣＷ方向に移動し、ゴミ投入口１４が開口する。
【００６９】
図３のようなロック機構を採用すれば、梃子の倍力作用のため、重錘部６６に作用する重力によって、外部からの駆動力によらず、ストッパーアーム４６が十分な姿勢保持力をもって図２のロック状態を維持できる。さらに、ロックを解除するに際しても。梃子の倍力作用のため、駆動源として小型のソレノイドプランジャーユニット５６を適用しても、容易にストッパーアーム４６を回動変位させることが可能である。従って、小型化と省電力化をはかることができる。
【００７０】
（蓋のロック機構の構成…第２の例）
図４は、蓋１６のロック機構の他の例を表す図である。図４（ａ）はロック機構の要部側面図、図４（ｂ）は図４（ａ）のロック機構におけるロックピンの駆動機構を説明するための図である。図４のロック機構は、図１および図２のゴミ投入規制装置１８に共通に適用可能である。
【００７１】
図４において、図３との対応部は同一の符号を用いて示し、それら対応部に関する個々の説明は適宜省略する。図４のゴミ箱本体に対して蓋１６が回動自在に取付けられている構造は図３の場合と同様である。蓋１６には、ゴミ投入口１４を閉止する方向（図中、破線の矢線ＣＣＷの方向）の回動付勢力が常時作用している。
【００７２】
図４（ａ）の蓋１６には、その下方縁部に臨む位置に、蓋側係止板６８が取付板７０によって取付けられている。蓋側係止板６８は、例えば、取付板７０と一体のものとして、取付板７０と垂直になるように金属板を折り曲げ加工したものであり、蓋側係止穴（第２の係止穴）７２があけられている。取付板７０は、蓋１６の下方縁部に臨む裏面にビス止め等適宜の方法で取付けられている。
【００７３】
蓋側係止板６８に対応して、本体側係止板７４が、ゴミ箱前面板１３のゴミ投入口１４下部に臨む裏面の適所に設けられた台座部７６によって取付けられている。この本体側係止板７４は、その略中央位置に本体側係止穴（第１の係止穴）７８があけられている。蓋側係止穴７２および本体側係止穴７８を貫通し得るようにロックピン８０が設けられている。
【００７４】
ロックピン８０は、ソレノイドプランジャーユニット５６のプランジャー５８にフレキシブルカップリング８２で接続されている。ソレノイドプランジャーユニット５６の前端とフレキシブルカップリング８２の後端との間にプランジャー５８の周囲を囲むようにして圧縮ばね８４が設けられている。ソレノイドプランジャーユニット５６が非通電状態にあるときには、この圧縮ばね８４の付勢力によって、ロックピン８０は、蓋側係止穴７２および本体側係止穴７８を貫通したロック位置に留まっている。この状態では、蓋１６は、外部から押圧されても、蓋側係止穴７２および本体側係止穴７８を貫通したロックピン８０によって、その変位が阻止される。このように変位が阻止されて、蓋１６は、ゴミ投入口１４を閉止したロック状態を維持する。
【００７５】
既述のように、バーコードリーダー２４によるゴミないし収容体に付したバーコードの読取り結果に基づいて、ゴミ箱に投入するゴミの種別に該当することが識別されない限りは、図４（ｂ）のソレノイドプランジャーユニット５６は非通電状態に保たれる。この状態では、上述のように、圧縮ばね８４の付勢力によって、ロックピン８０は、蓋側係止穴７２および本体側係止穴７８を貫通したロック位置に留まっている。従って、蓋１６はロックされた状態に保たれる。即ち、圧縮ばね８４およびソレノイドプランジャーユニット５６はロック機構を駆動するロック機構駆動部を構成している。
【００７６】
バーコードの読取り結果に基づいて、ゴミ箱に投入するゴミの種別に該当することが識別されると、図４（ｂ）のソレノイドプランジャーユニット５６が駆動される。この駆動により、ロックピン８０がプランジャー５８に引かれて、蓋側係止穴７２から退避したロック解除位置まで変位し、蓋１６のロック状態が解除される。この状態では、蓋１６は、外部からの押圧により容易に図中の矢線ＣＷ方向に移動し、ゴミ投入口１４が開口する。
【００７７】
上述のロック状態にあるときに、蓋１６を外部から無理に押圧すると、ロックピン８０にモーメントが作用して、ロックピン８０がプランジャー５８と同軸状の姿勢を維持できなくなるおそれがある。しかし、フレキシブルカップリング８２がロックピン８０とプランジャー５８との軸ずれに柔軟に応じるため、ソレノイドプランジャーユニット５６が損傷するおそれが低減される。
【００７８】
（実施例１に適用される回路）
図５は、実施例１のゴミ投入規制装置１８に適用される回路を例示するブロック図である。図５において、図１、図３、および、図４との対応部には同一の符号が付されている。
【００７９】
ゴミ投入規制装置１８のバーコードリーダー２４がバーコードから光学的に読取ったゴミ識別コードは、次段のデコード部２５で復号化され、識別部２７に入力される。識別部２７では、復号化されたバーコード情報に基づいて、そのバーコード情報が、ゴミ箱に投入することが許容されるゴミの種別を表しているか否かを識別する。
【００８０】
この識別結果である識別出力は、例えば、ＨまたはＬのレベルを選択的にとる２値信号である。即ち、バーコード情報が、ゴミ箱に投入することが許容されるゴミの種別を表していることが識別されたときにＨレベルをとる。また、バーコード情報が、ゴミ箱に投入することが許容されるゴミの種別を表すものではないと識別されたときにＬレベルをとる。
【００８１】
この識別出力が、投入規制部１０のソレノイド駆動回路５５、発声回路２９、および、告知灯駆動回路３１に、並列に供給される。
【００８２】
ゴミの投入が容認される状況にあり、識別部２７からの識別出力がＨレベルであるときには、ソレノイド駆動回路５５は、ソレノイドプランジャーユニット５６に通電する。この通電により、既述のように、蓋１６のロック状態が解除される。
また、発声回路２９は、既定の、ゴミを受容れる趣旨の合成音声の信号をスピーカー３０に供給する。この合成音声の信号を受けて、スピーカー３０は、既述のように、例えば「いつもありがとうございます。そのゴミはゴミ箱に投入頂けます。蓋のロックを解除します。」といったような、ゴミの投入を受容れるメッセージを発する。
さらに、告知灯駆動回路３１は、告知灯３２を駆動し、告知灯３２の緑色ないし青色の発光で点灯、点滅、あるいはまた、これらの色の光ビームの旋回等によって、投入容認を利用者に告知する。
【００８３】
ゴミの投入が容認されない状況にあり、識別部からの識別出力がＬレベルであるときには、ソレノイド駆動回路５５は、ソレノイドプランジャーユニット５６に通電せず、既述のように、蓋１６のロック状態が維持される。
また、発声回路２９は、ゴミの投入を阻止する趣旨の合成音声の信号をスピーカー３０に供給する。この合成音声の信号を受けて、スピーカー３０は、既述のように、例えば「いつもルールを守っていただきありがとうございます。そのゴミの投入はご遠慮ください。蓋はロックされています。」といったようなゴミの投入を受容れない旨のメッセージを発する。
さらに、告知灯駆動回路３１は、告知灯３２を駆動し、告知灯３２の赤色ないし黄色の発光で点灯、点滅、あるいはまた、これらの色の光ビームの旋回等によって、投入を容認しないことを該当者に告知する。
【００８４】
上述のようなゴミ投入規制装置１８が、商用電源で動作するように構成される場合には、破線図示のように、識別部２７の識別出力を、モデムや増幅器等を含む通信回路５７、および、ＰＬＣアダプター５９によって、監視端末に送信するように構成してもよい。監視端末とは、例えば、コンビニエンスストアのゴミ箱を監視する場合では、店内のレジ付近などゴミ箱の管理者が認識し易い場所に設置した端末（パーソナルコンピューターあるいは簡素な表示装置）である。
なお、ＰＬＣアダプター５９は、電力線通信（ＰＬＣ：Power Line Communications）を行うためのアダプターである。
【００８５】
（実施例２に適用される回路）
図６は、実施例２のゴミ投入規制装置１８に適用される回路を例示するブロック図である。図６において、図２、図３、図４および、図５との対応部には同一の符号が付されている。
【００８６】
ゴミ投入規制装置１８の、バーコードリーダー２４、次段のデコード部２５、さらに次段の識別部２７の構成、作用等については図５と同様である。投入規制部２８のソレノイド駆動回路５５およびソレノイドプランジャーユニット５６についても図５のものと同様である。
【００８７】
図６の回路では、図５の発声回路２９および告知灯駆動回路３１に替えて、ブザー駆動回路３３および表示器駆動回路３５が設けられている。これに対応して、図５のスピーカー３０および告知灯３２に替えて、図６の回路では、ブザー３４および表示器３６が設けられている。
識別部２７の識別出力がソレノイド駆動回路５５、ブザー駆動回路３３、および、表示器駆動回路３５に並列に供給される。この識別出力は、ゴミの投入が容認されるときＨレベルをとり、容認されないときＬレベルをとる。
【００８８】
ゴミの投入が容認される状況にあり、識別部からの識別出力がＨレベルであるときには、ソレノイド駆動回路５５は、ソレノイドプランジャーユニット５６に通電する。この通電により、既述のように、蓋１６のロック状態が解除される。
また、ブザー駆動回路３３は、ブザー３４に通電せず、警報は発報されない。
さらに、表示器駆動回路３５は、表示器３６を駆動し、ゴミの投入を容認する旨の表示を行わせる。この表示は、例えば「蓋のロックを解除します。」といったような文字列による表示である。この表示は、「いつもありがとうございます。そのゴミはゴミ箱に投入頂けます。蓋のロックを解除します。」といったような文字列がスクロールされるようにしてもよい。
【００８９】
ゴミの投入が容認されない状況にあり、識別部２７からの識別出力がＬレベルであるときには、ソレノイド駆動回路５５は、ソレノイドプランジャーユニット５６に通電せず、既述のように、蓋１６のロック状態が維持される。
また、ブザー駆動回路３３は、ブザー３４に通電し、警報を発報させる。
さらに、表示器駆動回路３５は、表示器３６を駆動し、ゴミの投入を容認する旨の表示を行わせる。この表示は、例えば「ゴミの投入はご遠慮ください。蓋はロックされています。」といったような文字列による表示である。この表示は、「いつもルールを守っていただきありがとうございます。そのゴミの投入はご遠慮ください。蓋はロックされています。」といったような文字列がスクロールされるようにしてもよい。
【００９０】
上述のようなゴミ投入規制装置１８が、商用電源で動作するように構成される場合には、図５の場合と同様に、破線図示のように、識別部２７の識別出力を、通信回路５７およびＰＬＣアダプター５９によって、監視端末に送信するように構成してもよい。
【実施例３】
【００９１】
図７は、本考案の実施例３としてのゴミ投入規制装置１８およびこの装置を備えたゴミ箱を示す図である。
【００９２】
図７において、既述の図１との対応部は同一の符号を用いて示し、それら対応部に関する個々の説明は適宜省略する。
図７におけるゴミ箱は、その本体は図１のものと略同様のものであるが、図１の例における蓋１６に替えて、ゴミ箱のゴミ投入口１４近傍にそれぞれヒンジ４１で取付けられた２本の平行な投入阻止ロッド４３が設けられている。
【００９３】
この投入阻止ロッド４３についても、ロック機構が設けられており、平生は、投入阻止ロッド４３のロックが維持され、既定の条件を満たすときのみ、例えば既述のようなソレノイドプランジャーユニット等を有するロック機構駆動部によって、ロックが解除される。
実施例３では、図７に示されたように、ゴミ投入規制装置１８のバーコードリーダー２４は、ゴミ箱のゴミ投入口１４に臨むこの投入口１４の上方に取付けられている。このバーコードリーダー２４と一体の筐体にスピーカー３０が設けられている。
投入阻止ロッド４３とスピーカー３０は、不法なゴミの投入を規制するゴミ投入規制部を構成している。
【００９４】
バーコードリーダー２４が光学的に読取ったゴミ識別コードに基づいて、投棄対象のゴミがゴミ箱への投入容認条件を満たしていると識別されたときには、投入阻止ロッド４３のロックが解除される。この解除と共に、スピーカー３０から、例えば「いつもありがとうございます。そのゴミはゴミ箱に投入頂けます。ロッドのロックを解除します。」といったような合成音声によるゴミの投入容認のメッセージが発せられる。
これにより、正当な投入者は、ためらわずに支障なくゴミを投入でき、ゴミ箱が設置されていることによる利便性が損なわれることがない。
【００９５】
バーコードリーダー２４が光学的に読取ったゴミ識別コードに基づいて、投棄対象のゴミがゴミ箱への投入容認条件を満たしていないと識別されたときには、投入阻止ロッド４３のロック状態が維持される。このロック状態の維持と共に、スピーカー３０から、例えば「いつもルールを守っていただきありがとうございます。そのゴミの投入はご遠慮ください。ロッドはロックされています。」といったような合成音声によるゴミ投入拒否のメッセージが発せられる。
これにより、ゴミが不法にゴミ箱に投入されることが効果的に阻止される。
【実施例４】
【００９６】
図８は、本考案の実施例４としてのゴミ投入規制装置１８およびこの装置を備えたゴミ箱を示す図である。
【００９７】
図８において、既述の図１との対応部は同一の符号を用いて示し、それら対応部に関する個々の説明は適宜省略する。
図８におけるゴミ箱は、その本体は図１のものと略同様のものであるが、図１の例におけるような蓋１６を有しない簡素な構造のものである。
【００９８】
ゴミ箱１２のゴミ投入口１４に臨む位置（本例では、ゴミ投入口１４の下方位置）に、ゴミ投入規制装置１８のバーコードリーダー２４が取り付けられている。このバーコードリーダー２４が、投棄対象のゴミ本体もしくはゴミを収容する収容体（ゴミを収容したポリ袋など）２０に貼られたバーコードラベル２６のバーコード２２を光学的に読取る。
【００９９】
ゴミ投入規制装置１８は、さらに、このゴミ箱１２への不法なゴミの投入を規制する投入規制部２８としての、スピーカー３０および告知灯３２を備えている。
【０１００】
ゴミ投入規制装置１８は、バーコードリーダー２４によるバーコード２２の読取り結果に基づいてゴミ箱１２への投入が容認される条件を満たすバーコードと該条件を満たさないバーコードとを識別する。
【０１０１】
バーコードの識別結果が、該条件を満たさない趣旨のものであるときには、投棄対象のゴミをゴミ箱１２に投入することを規制するための出力を得る。
本例では、不法なゴミの投入を規制するための出力として、スピーカー３０からの投入拒否の旨の発声、および、告知灯３２からの警告の発光が行われる。
【０１０２】
バーコードの識別結果が、ゴミの投入を容認できる旨のものであるときには、スピーカー３０からの投入容認の旨の発声、および、告知灯３２からの投入容認の旨の発光が行われる。
【０１０３】
（実施例４に適用される回路）
図９は、実施例４のゴミ投入規制装置１８に適用される回路を例示するブロック図である。図９において、図８および図５との対応部には同一の符号が付されている。
【０１０４】
ゴミ投入規制装置１８の、バーコードリーダー２４、次段のデコード部２５、さらに次段の識別部２７の構成、作用等については図５と同様である。実施例４では、ゴミ箱に蓋を有しないため、投入規制部２８には、図５におけるようなソレノイド駆動回路５５およびソレノイドプランジャーユニット５６は設けられていない。投入規制部２８には、発声回路２９および告知灯駆動回路３１が設けられ、さらに、これらにそれぞれ対応して、スピーカー３０および告知灯３２が設けられている。
【０１０５】
ゴミの投入が容認される状況にあり、識別部２７からの識別出力がＨレベルであるときには、発声回路２９は、既定の、ゴミを受容れる趣旨の合成音声の信号をスピーカー３０に供給する。この合成音声の信号を受けて、スピーカー３０は、例えば「いつもありがとうございます。そのゴミはゴミ箱に投入頂けます。」といったような、ゴミの投入を受容れるメッセージを発する。
さらに、告知灯駆動回路３１は、告知灯３２を駆動し、告知灯３２の緑色ないし青色の発光で点灯、点滅、あるいはまた、これらの色の光ビームの旋回等によって、投入容認を利用者に告知する。
【０１０６】
ゴミの投入が容認されない状況にあり、識別部からの識別出力がＬレベルであるときには、発声回路２９は、ゴミの投入を阻止する趣旨の合成音声の信号をスピーカー３０に供給する。この合成音声の信号を受けて、スピーカー３０は、例えば「いつもルールを守っていただきありがとうございます。そのゴミの投入はご遠慮ください。」といったようなゴミの投入を受容れない旨のメッセージを発する。
さらに、告知灯駆動回路３１は、告知灯３２を駆動し、告知灯３２の赤色ないし黄色の発光で点灯、点滅、あるいはまた、これらの色の光ビームの旋回等によって、投入を容認しないことを該当者に告知する。
【実施例５】
【０１０７】
図１０は、本考案の実施例５としてのゴミ投入規制装置１８およびこの装置を備えたゴミ箱を示す図である。
【０１０８】
図１０において、既述の図１との対応部は同一の符号を用いて示し、それら対応部に関する個々の説明は適宜省略する。
図１０におけるゴミ箱は、その本体は図１のものと略同様のものであるが、図１の例におけるような蓋１６を有しない簡素な構造のものである。
【０１０９】
ゴミ箱１２のゴミ投入口１４に臨む位置（本例では、ゴミ投入口１４の上方位置）に、ゴミ投入規制装置１８のバーコードリーダー２４が取り付けられている。このバーコードリーダーが、投棄対象のゴミ本体（例えば、空の弁当箱等）もしくはゴミを収容する収容体（ゴミを収容したポリ袋など）２０に貼られたバーコードラベル２６のバーコード２２を光学的に読取る。
【０１１０】
実施例５では、図１０に示されたように、バーコードリーダー２４と一体の筐体にスピーカー３０が設けられている。スピーカー３０は、このゴミ箱１２への不法なゴミの投入を規制する投入規制部２８として機能する。
【０１１１】
ゴミ投入規制装置１８は、バーコードリーダー２４によるバーコード２２の読取り結果に基づいてゴミ箱１２への投入が容認される条件を満たすバーコードと該条件を満たさないバーコードとを識別する。
【０１１２】
バーコードの識別結果が、該条件を満たさない趣旨のものであるときには、投棄対象のゴミをゴミ箱１２に投入することを規制するための出力を得る。
本例では、不法なゴミの投入を規制するための出力として、スピーカー３０からの投入拒否の旨の発声が行われる。
【０１１３】
バーコードの識別結果が、ゴミの投入を容認できる旨のものであるときには、スピーカー３０からの投入容認の旨の発声が行われる。
【０１１４】
（実施例５に適用される回路）
図１１は、実施例５のゴミ投入規制装置１８に適用される回路を例示するブロック図である。図１１において、図１０および図９との対応部には同一の符号が付されている。図より明らかなとおり、図１１の回路は、その投入規制部が、図９の回路における告知灯駆動回路３１および告知灯３２を除いた簡素な構成を有する。
【０１１５】
ゴミ投入規制装置１８の、バーコードリーダー２４、次段のデコード部２５、さらに次段の識別部２７の構成、作用等については図９と同様である。実施例５では、図８におけるような告知灯を有しない。図１１における投入規制部２８には、発声回路２９およびスピーカー３０が設けられている。
【０１１６】
ゴミの投入が容認される状況にあり、識別部からの識別出力がＨレベルであるときには、発声回路２９は、既定の、ゴミを受容れる趣旨の合成音声の信号をスピーカー３０に供給する。この合成音声の信号を受けて、スピーカー３０は、例えば「いつもありがとうございます。そのゴミはゴミ箱に投入頂けます。」といったような、ゴミの投入を受容れるメッセージを発する。
【０１１７】
ゴミの投入が容認されない状況にあり、識別部からの識別出力がＬレベルであるときには、発声回路２９は、ゴミの投入を阻止する趣旨の合成音声の信号をスピーカー３０に供給する。この合成音声の信号を受けて、スピーカー３０は、例えば「いつもルールを守っていただきありがとうございます。そのゴミの投入はご遠慮ください。」といったようなゴミの投入を受容れない旨のメッセージを発する。
【実施例６】
【０１１８】
図１２は、本考案の実施例６としてのゴミ投入規制装置１８およびこの装置を備えたゴミ箱１２を示す図である。
【０１１９】
図１２において、既述の図１０との対応部は同一の符号を用いて示し、それら対応部に関する個々の説明は適宜省略する。
図１２におけるゴミ箱１２は、その本体は図１０のものと略同様のものであるが、図１０のものと略同様の本体の上面板（図１２では見えない）の上部に、上面板とは別体のルーフパネル８６が設けられている。このルーフパネル８６は、ゴミ投入口１４の位置よりも前方に張出した張出し部８８を有する。
【０１２０】
ルーフパネル８６は、既製のゴミ箱に対して、このルーフパネル８６を、適宜の傾斜を得るためのスペーサー部材等を介して後付け可能に構成されている。
【０１２１】
上記張出し部８８の下面にゴミ投入規制装置１８のバーコードリーダー２４およびブザー３４が取付けられている。このため、バーコードリーダー２４およびブザー３４は、日射や降雨あるいは塵埃を避けられ、経年劣化を低減できる。
【０１２２】
ゴミ投入規制装置１８は、バーコードリーダー２４によるバーコード２２の読取り結果に基づいてゴミ箱１２への投入が容認される条件を満たすバーコードと該条件を満たさないバーコードとを識別する。
【０１２３】
バーコードの識別結果が、該条件を満たさない趣旨のものであるときには、投棄対象のゴミをゴミ箱１２に投入することを規制するための出力を得る。
本例では、不法なゴミの投入を規制するための出力として、ブザー３４からの投入拒否の警報が発報される。
【０１２４】
バーコードの識別結果が、ゴミの投入を容認できる旨のものであるときには、ブザー３４からの投入拒否の警報は発報されない。
【０１２５】
（実施例６に適用される回路）
図１３は、実施例６のゴミ投入規制装置１８に適用される回路を例示するブロック図である。図１３において、図１２および図１１との対応部には同一の符号が付されている。図より明らかなとおり、ゴミ投入規制装置１８の、バーコードリーダー２４、次段のデコード部２５、さらに次段の識別部２７の接続は図１１と同様であり、それらの作用等についても図１１と同様である。図１３の回路は、その投入規制部２８が、図１１の回路における発声回路２９およびスピーカー３０に替えて、ブザー駆動回路３３およびブザー３４を有する。
【０１２６】
ゴミの投入が容認される状況にあり、識別部からの識別出力がＨレベルであるときには、ブザー駆動回路３３は、ブザー３４に通電せず、警報は発報されない。
【０１２７】
ゴミの投入が容認されない状況にあり、識別部からの識別出力がＬレベルであるときには、ブザー駆動回路３３は、ブザー３４に通電し、警報を発報させる。
【実施例７】
【０１２８】
図１４は、本考案の実施例７としてのゴミ投入規制装置１８およびこの装置を備えたゴミ箱１２を示す図である。
【０１２９】
図１４において、既述の図１２との対応部は同一の符号を用いて示し、それら対応部に関する個々の説明は適宜省略する。
図１４におけるゴミ箱１２は、その本体が図１２のものよりも縦長の形状のものであり、上方にルーフパネル８６を有する。このルーフパネル８６は、ゴミ投入口１４の位置よりも前方に張出した張出し部８８を有すると共に、ゴミ箱の後方に向かって下降した傾斜を有する。
【０１３０】
上記張出し部８８の下面にゴミ投入規制装置１８のバーコードリーダー２４およびブザー３４が取付けられている。図示のように、バーコードリーダー２４はゴミ投入規制装置１８に、検出光を授受する窓部が下方を向く姿勢に設けられている。ブザー３４は、警報の放射面が前方に向かうように設けられている。
バーコードリーダー２４およびブザー３４は、張出し部８８の下側に位置するため、日射や降雨あるいは塵埃を避けられ、経年劣化を低減できる。
【０１３１】
ゴミ箱には、その前面側のゴミ投入口１４に臨んで、下方から左右に開く蓋１６が備えられている。この蓋１６は、左蓋１７と右蓋１９とによって構成され、左右両者の各上部が図示しない支軸によって回動可能に支持されている。左蓋１７と右蓋１９とは、軸対象の半円状の板材である。双方の蓋１７、１９は、上記支軸の周りに、それぞれ時計方向および反時計方向に回動し、破線図示のように下方から次第に開く構造を有する。
【０１３２】
左蓋１７と右蓋１９とが、実線図示のように、対向する縁部（半円状板材の各直線状部）が合わさって閉じている状態では、双方の蓋の自重により閉じた状態が維持される。左蓋１７および右蓋１９とも、それらの外面には蓋を開けるための突起や凹部等の手掛かりがない。このため、別段のロック機構等が備えられずとも、一旦閉じた姿勢に到ると、自然にその状態が維持され、ゴミの投入が効果的に阻止される。また、蓋によって、タバコの吸殻の投げ捨て等に起因する火災を予防することができる。
【０１３３】
蓋１６を開けるためのモーター８９が備えられ、このモーター８９による駆動力が、図示しないベルトとプーリー、ないしは、巻き取り式ワイヤーとベルクランク、あるいは、その他の適宜の変向機構を介して、左蓋１７と右蓋１９とに伝達されるように構成されている。
モーターへの給電が断たれると、左蓋１７と右蓋１９とが、それらの自重によってゴミ投入口１４を閉止するように動くような構成を採ることは推奨できる。
【０１３４】
（実施例７に適用される回路）
図１５は、実施例７のゴミ投入規制装置１８に適用される回路を例示するブロック図である。既述の図６との対応部は同一の符号が付されている。
【０１３５】
ゴミ投入規制装置１８の、バーコードリーダー２４、次段のデコード部２５、さらに次段の識別部２７の構成、作用等については図５と同様である。この図１５の回路では、投入規制部２８に、モーター駆動回路８７およびモーター８９、ならびに、ブザー駆動回路３３およびブザー３４が設けられている。
【０１３６】
識別部２７の識別出力が、モーター駆動回路８７およびブザー駆動回路３３に並列に供給される。既述のとおり、この識別出力は、ゴミの投入が容認されるときＨレベルをとり、容認されないときＬレベルをとる。
【０１３７】
ゴミの投入が容認される状況にあり、識別部２７からの識別出力がＨレベルであるときには、モーター駆動回路８７は、モーター８９に通電する。この通電により、左蓋１７と右蓋１９とが、図１４に破線図示のように、下部から左右に開く。
また、ブザー駆動回路３３は、ブザー３４に通電せず、警報は発報されない。
【０１３８】
ゴミの投入が容認されない状況にあり、識別部２７からの識別出力がＬレベルであるときには、モーター駆動回路８７は、モーター８９に通電せず、蓋１６の閉止状態が維持される。
また、ブザー駆動回路３３は、ブザー３４に通電し、警報を発報させる。
【０１３９】
（ゴミ投入規制装置１８の電源）
図１６は、本考案のゴミ投入規制装置１８における上記各実施例に適用可能な電源回路の形態について説明する図である。
【０１４０】
図１６（ａ）の電源回路は、バーコードリーダー、識別部、および、投入規制部の少なくとも何れかを含むゴミ投入規制装置１８の負荷が、商用交流電源から所定の直流電力を得るコンバーター（ＡＣ−ＤＣコンバーター）から給電される構成を採る。
図１６（ａ）の電源回路を適用する場合は、商用交流電源から電源をとるため、比較的大型で強力なゴミ投入規制装置１８を実現しやすい。
【０１４１】
図１６（ｂ）の電源回路は、図１６（ａ）と同様の負荷が、乾電池から給電される構成を採る。
図１６（ｂ）の電源回路を適用する場合は、入手や交換が容易な乾電池を電源とするため、装置の取り扱いが容易である。また、電池を電源とするため、商用交流電源への接続が不要である。
【０１４２】
図１６（ｃ）の電源回路は、図１６（ａ）と同様の負荷が、二次電池から給電される構成を採る。
図１６（ｃ）の電源回路を適用する場合は、充電により繰り返し用いることができる二次電池を電源とするため、短期間での消耗品が無いという点で装置の取り扱いが容易である。また、電池を電源とするため、商用交流電源への接続が不要である。
【０１４３】
図１６（ｄ）の電源回路は、図１６（ａ）と同様の負荷が、太陽電池の出力で充電されるように構成されている二次電池から給電される構成を採る。
図１６（ｄ）の電源回路を適用する場合は、太陽電池を用いているため、短期間での電池の交換や外部からの充電を要しないという点で装置の取り扱いが容易である。電池を電源とするため、商用交流電源への接続が不要である。
【符号の説明】
【０１４４】
１２  ゴミ箱
１３  ゴミ箱前面板
１４  ゴミ投入口
１６  蓋
１７  左蓋
１８  ゴミ投入規制装置
１９  右蓋
２０  ゴミ
２２  バーコード
２４  バーコードリーダー
２５  デコード部
２６  バーコードラベル
２７  識別部
２８  投入規制部
２９  発声回路
３０  スピーカー
３１  告知灯駆動回路
３２  告知灯
３３  ブザー駆動回路
３４  ブザー
３５  表示器駆動回路
３６  表示器
３８  裏面
４０  支持部材
４２  支軸
４３  投入阻止ロッド
４４  コイルばね
４６  ストッパーアーム
４８  変位規制部
５０  支持板
５２  ピン
５４  力点
５５  ソレノイド駆動回路
５６  ソレノイドプランジャーユニット
５７  通信回路
５８  プランジャー
５９  ＰＬＣアダプター
６０  テンションワイヤー
６２  プーリー
６４  ばね
６６  重錘部
６８  蓋側係止板
７０  取付板
７２  蓋側係止穴
７４  本体側係止板
７６  台座部
７８  本体側係止穴
８０  ロックピン
８２  フレキシブルカップリング
８４  圧縮ばね
８６  ルーフパネル
８７  モーター駆動回路
８８  張出し部
８９  モーター
【図１】
0003179018.tif 000003
【図２】
0003179018.tif 000004
【図３】
0003179018.tif 000005
【図４】
0003179018.tif 000006
【図５】
0003179018.tif 000007
【図６】
0003179018.tif 000008
【図７】
0003179018.tif 000009
【図８】
0003179018.tif 000010
【図９】
0003179018.tif 000011
【図１０】
0003179018.tif 000012
【図１１】
0003179018.tif 000013
【図１２】
0003179018.tif 000014
【図１３】
0003179018.tif 000015
【図１４】
0003179018.tif 000016
【図１５】
0003179018.tif 000017
【図１６】
0003179018.tif 000018